(57)【特許請求の範囲】
【請求項１】
被検眼を異なる光量で照明可能な照明手段と、被検眼を異なる感度で撮像可能な撮像手段と、前記照明手段の光量及び前記撮像手段の増幅率を制御する共通の操作手段とを有し、前記操作手段の操作と前記照明手段に加える印加電圧及び前記増幅率を関連付けた表に基づいて、前記操作手段の操作により前記照明手段の光量の増加に連動して前記撮像手段の増幅率を上げることを特徴とする眼科撮影装置。
【発明の詳細な説明】
【０００１】
【発明の属する技術分野】
本発明は、眼科医院等において使用される眼科撮影装置に関するものである。
【０００２】
【従来の技術】
従来、電子撮像手段を使用して撮影する眼科撮影装置においては、観察光量又は撮影光量を調整する調整手段と、撮像手段の感度を調整する調整手段とは別々に設けられている。
【０００３】
【発明が解決しようとする課題】
しかしながら上述の従来例においては、被写体の明るさが大きく異なる場合には、照明用光源の光量及び撮像手段の感度の両方を使用して調整しなければならず、それぞれの操作手段が別個に設けられているために、操作が煩雑であるという問題点が生ずる。また、被検眼を赤外光で観察する場合や、可視光による動画観察や蛍光像の動画観察等をする場合には、被写体の明るさに大きな差があるために、同様に光量及び感度双方の調整手段を操作しなければならず、作業が煩雑で時間が掛かるという問題点がある。
【０００４】
本発明の目的は、上述の問題点を解消し、１個の操作手段による簡単な操作で、広範囲に渡って明るさの異なる被写体を一定の明るさで撮影することができる眼科撮影装置を提供することにある。
【０００５】
【課題を解決するための手段】
上記目的を達成するための本発明に係る眼科撮影装置は、被検眼を異なる光量で照明可能な照明手段と、被検眼を異なる感度で撮像可能な撮像手段と、前記照明手段の光量及び前記撮像手段の増幅率を制御する共通の操作手段とを有し、前記操作手段の操作と前記照明手段に加える印加電圧及び前記増幅率を関連付けた表に基づいて、前記操作手段の操作により前記照明手段の光量の増加に連動して前記撮像手段の増幅率を上げることを特徴とする。
【０００８】
【発明の実施の形態】
本発明を図示の実施例に基づいて詳細に説明する。
図１は実施例の眼底カメラの構成図を示し、可視光及び赤外光の定常光を発するハロゲンランプ等の観察用光源１から被検眼Ｅに対向する対物レンズ２に至る光路上には、コンデンサレンズ３、光路内に挿脱自在に配置された可視光を遮断し赤外光を透過する可視カットフィルタ４、閃光を発するストロボ等の撮影用光源５、リング状の開口を有する絞り６、光路内に互いに又は共に挿脱自在に配置された蛍光撮影用励起フィルタ７ａ及び赤外光を遮断する赤外カットフィルタ７ｂ、リレーレンズ８、孔あきミラー９が順次に配列され、眼底照明手段が構成されている。
【０００９】
孔あきミラー９の孔部には撮像絞り１０が配置されており、撮影絞り１０の背後には、光路上を移動可能なフォーカスレンズ１１、撮影レンズ１２、光路内に挿脱可能に配置された蛍光撮影用の濾過フィルタ１３、色分解プリズム１４が順次に配列されており、この色分解プリズム１４の出射口には３色の撮像素子１５ｒ、１５ｇ、１５ｂが配置され、眼底観察撮影手段が構成されている。ここで、色分解プリズム１４は赤外光と赤色光を撮像素子１５ｒに、緑色光を撮像素子１５ｇに、青色光を撮像素子１５ｂに導く機能を有する。
【００１０】
これらの撮像素子１５ｒ、１５ｇ、１５ｂの出力は、信号増幅手段１６を介して、メモリ１７ａを有する画像制御手段１７及びメモリ１８ａを有する制御手段１８に接続されている。画像制御手段１７の出力はテレビモニタ１９、２０に接続され、またＭＯ、ＭＤ、ＤＶＤ−ＲＡＭ，ＶＴＲテープ、ハードディスク等の、外部からの電力供給がなくとも記憶保持可能な記録媒体Ｄへの書き込み又は読み出しを行うドライブ装置である画像記録手段２１に接続されている。
【００１１】
制御手段１８には、撮影スイッチ２２、フィルタ選択スイッチ２３、観察用光源１の発する光量及び信号増幅手段１６の増幅率を調整するつまみ式スイッチ２４、撮影用光源５の発光する光量及び信号増幅手段１６の増幅率を調整する操作部２５ａ、２５ｂ及び表示部２５ｃから成るスイッチ２５の出力がそれぞれ接続されている。また、制御手段１８の出力は、撮影用光源５の発光光量をコンデンサ２６ａに印加する電圧により制御するストロボ発光制御回路２６に接続されている。
【００１２】
カラー撮影を行う場合には、撮影者は被検者を眼底カメラの正面に着座させ、被検眼Ｅの眼底Ｅｒを赤外光で観察しながら、被検眼Ｅと眼底カメラの位置合わせを行う。次に、フィルタ選択スイッチ２３を操作して、励起フィルタ７ａ、赤外カットフィルタ７ｂ、濾過フィルタ１３を光路外に退避し、可視カットフィルタ４を光路内に配置する。
【００１３】
観察用光源１を発した光束はコンデンサレンズ３により集光し、可視カットフィルタ４により赤外光のみが透過し、撮影用光源５、絞り６のリング状開口を通過し、リレーレンズ８を通り、孔あきミラー９の周辺のミラー部により左方に反射され、対物レンズ２、被検眼Ｅの瞳孔Ｅｐを通して眼底Ｅｒを照明する。
【００１４】
このように、赤外光により照明された眼底Ｅｒの像は、再び対物レンズ２、孔あきミラー９の孔部の撮影絞り１０，フォーカスレンズ１１、撮影レンズ１２を通り、色分解プリズム１４に入射して撮像素子１５ｒに結像し、電気信号に変換される。この信号は信号増幅手段１６を通って所定の増幅率に増幅され、画像制御手段１７に入力されテレビモニタ１９に表示される。撮影者はこのテレビモニタ１９に映った眼底像Ｅｒ’を見ながら、スイッチ２４を操作し眼底像Ｅｒ’の明るさを調整する。
【００１５】
スイッチ２４により光量及び増幅率の調整を行う場合には、スイッチ２４のつまみを回して、その周囲に表示された目盛り１〜９までの間を連続的に調整することができる。このつまみの角度を既知の角度検知手段により検知して、その情報が制御手段１８に伝達される。制御手段１８は次の表１に従って、観察用光源１に印加する電圧及び信号増幅手段１６の増幅率を制御する。
【００１６】
表１
目盛              印加電圧            増幅率
１                ０Ｖ              ０ｄＢ
２                ２Ｖ              ０ｄＢ
３                ４Ｖ              ０ｄＢ
４                ８Ｖ              ０ｄＢ
５              １６Ｖ              ０ｄＢ
６              １６Ｖ              ６ｄＢ
７              １６Ｖ            １２ｄＢ
８              １６Ｖ            １８ｄＢ
９              １６Ｖ            ２４ｄＢ
【００１７】
例えば、スイッチ２４が目盛り３相当を指しているときには、観察用光源１に印加する電圧は４Ｖであり、信号増幅手段１６の増幅率は０ｄＢである。また、スイッチ２４が目盛り５相当を指している場合には、観察用光源１に印加する電圧は１６Ｖであり、信号増幅手段１６の増幅率は０ｄＢである。更に、スイッチ２４が目盛り７相当を指している場合には、観察用光源１に印加する電圧は１６Ｖのままで、信号増幅手段１６の増幅率は１２ｄＢである。また、目盛り９相当を差している場合には、観察用光源１に印加する電圧は１６Ｖのままで、信号増幅手段１６の増幅率は２４ｄＢである。そして、スイッチ２４の指す位置が目盛りの間である場合には、その割合に応じた値が設定される。
【００１８】
これらの電圧及び増幅率の変更は即時に行うことができ、撮影者はテレビモニタ１９を見ながら広いダイナミックレンジに渡って眼底像の明るさを調節することができる。なお、本実施例の場合は、被検眼Ｅの眼底Ｅｒを赤外光照明により観察しているが、眼底Ｅｒの赤外光に対する反射率は高いので、スイッチ２４の指す位置は３程度でよい。このように、スイッチ２４を調整して眼底Ｅｒを適当な明るさで観察しながら、図示しない操作手段を使用して被検眼Ｅとの位置合わせを行い、フォーカスレンズ１１を動かしてピント合わせ及び撮影範囲の確認を行う。
【００１９】
次に、スイッチ２５により光量及び増幅率の調整する場合には、スイッチ２５の操作部２５ａ、２５ｂを操作すると、表示部２５ｃの表示がＦ１〜Ｆ１０まで段階的に変化する。この設定された値は制御手段１８によって検知され、制御手段１８は次の表２に従って、ストロボ発光制御回路２６のコンデンサ２６ａの充電電圧及び信号増幅手段１６の増幅率を設定する。
【００２０】
表２
表示部２５ｃの値    印加電圧            増幅率
Ｆ１              ５３Ｖ              ０ｄＢ
Ｆ２              ７５Ｖ              ０ｄＢ
Ｆ３            １０６Ｖ              ０ｄＢ
Ｆ４            １５０Ｖ              ０ｄＢ
Ｆ５            ２１２Ｖ              ０ｄＢ
Ｆ６            ３００Ｖ              ６ｄＢ
Ｆ７            ３００Ｖ            １２ｄＢ
Ｆ８            ３００Ｖ            １８ｄＢ
Ｆ９            ３００Ｖ            ２４ｄＢ
【００２１】
このときの信号増幅率は撮影スイッチ２２への入力を待って設定される。即ち、スイッチ２５の値がＦ１であることを検知した制御手段１８は、コンデンサ２６ａに印加されている電圧を５３Ｖに設定し、信号増幅手段１６の増幅率が０ｄＢであることをメモリ１８ａに記憶する。同様に、スイッチ２５の値がＦ７であることを検知した制御手段１８は、コンデンサ２６ａに印加されている電圧を３００Ｖに設定し、信号増幅手段１６の増幅率が６ｄＢであることをメモリ１８ａに記憶する。同様に、スイッチ２５の値がＦ１０であることを検知した制御手段１８は、コンデンサ２６ａに印加されている電圧を３００Ｖに設定し、信号増幅手段１６の増幅率が２４ｄＢであることをメモリ１８ａに記憶する。
【００２２】
このようにして設定が終了し、テレビモニタ１９に映った眼底像Ｅｒ’を観察して、撮影範囲、位置、ピント合わせが良好であることを確認した後に、撮影スイッチ２２を操作して静止画撮影を行う。撮影スイッチ２２への入力を検知した制御手段１８は、赤外光を遮断するフィルタ７ｂを光路内に挿入し、撮像素子１５ｒ、１５ｇ、１５ｂの光蓄積を開始し、信号増幅手段１６の増幅率をメモリ１８ａに記憶されている値に設定し、ストロボ発光制御回路２６に発光信号を送る。発光信号を受けた撮影用光源５は、コンデンサ２６ａに蓄えられた電荷によって発光する。
【００２３】
撮影用光源５を発した光束は、観察光と同様に絞り６のリング状開口を通過し、赤外カットフィルタ７ｂにより赤外光は除去され、残りの可視光はリレーレンズ８を通り、孔あきミラー９により左方に反射され、対物レンズ２を通して、被検眼Ｅの瞳孔Ｅｐを介して眼底Ｅｒを照明する。照明された眼底Ｅｒの像は、再び対物レンズ２、撮影絞り１０、フォーカスレンズ１１、撮影レンズ１２を通り、色分解プリズム１４に入射して赤、緑、青それぞれの色に分解され、撮像素子１５ｒ、１５ｇ、１５ｂに結像し電気信号に変換される。信号増幅手段１６はこれらの信号を予め設定した増幅率で増幅し、画像制御手段１７はこの電気信号をデジタル画像データに変換してメモリ１７ａに一旦記録し、更に画像記録手段２１により記録媒体Ｄに記録し、同時にテレビモニタ２０に眼底画像Ｅｒ’が表示される。
【００２４】
蛍光撮影を行う場合には先ず散瞳剤を点眼し、散瞳した被検者を対物レンズ２に向かって着座させる。被検眼Ｅは散瞳剤により散瞳されているので、可視光を照射しても縮瞳することはない。フィルタ選択スイッチ２３を操作して、可視カットフィルタ４を光路外に退避すると共に、赤外カットフィルタ７ｂを光路内に挿入する。
【００２５】
観察用光源１を発した光束はカラー撮影と同様の光路を通り、赤外カットフィルタ７ｂにより赤外光は取り除かれ、可視光により眼底Ｅｒを照明する。照明された眼底像Ｅｒ’は同様の光路を戻って、色分解プリズム１４により赤、緑、青に色分解され、撮像素子１５ｒ、１５ｇ、１５ｂに結像し、電気信号に変換される。これらの電気信号は信号増幅手段１６に入力され、所定の増幅率に増幅される。更に、この信号は画像制御手段１７に入力され、テレビモニタ１９に映し出される。撮影者はこのテレビモニタ１９に映ったカラー眼底像Ｅｒ’を観察し、眼底像Ｅｒ’が見易い明るさになるようにスイッチ２４を操作する。可視光の反射率は低いので、赤外光による観察よりも光量及び増幅率は共に大きく、例えば７程度が良好である。
【００２６】
テレビモニタ１９に映ったカラー眼底像Ｅｒ’を見て、位置合わせ及びピントが良好であることを確認した後に、被検者に蛍光剤を注射する。それと共にフィルタ選択スイッチ２３を操作して、蛍光励起フィルタ７ａ及び蛍光濾過フィルタ１３を光路内に挿入する。撮影者はスイッチ２４を操作し、例えば目盛りを９程度に設定することによって、観察用光源１の発光する光量を増すと共に、信号増幅手段１６の増幅率を大きくし、微弱な光である蛍光像が出現するのを待つ。蛍光像が出現したら、撮影スイッチ２２を操作して静止画撮影を行う。
【００２７】
撮影スイッチ２２への入力を検知した制御手段１８は、撮像素子１５ｒ、１５ｇ、１５ｂの光蓄積を開始し、信号増幅手段１６の増幅率をメモリ１８ａに記憶されている値に設定し、ストロボ発光制御回路２６に発光信号を送る。発光信号を受けた撮影用光源５は、コンデンサ２６ａに蓄積された電荷により発光する。撮影用光源５を発した光束は観察光と同様に、絞り６のリング状開口を通過し、励起フィルタ７ａにより蛍光励起光のみ透過し、リレーレンズ８を通り、孔あきミラー９の周辺のミラー部により左方に反射され、対物レンズ２を介して、被検眼Ｅの瞳孔Ｅｐから眼底Ｅｒを照明する。
【００２８】
このように照明された眼底Ｅｒは蛍光を発し、その像は再び対物レンズ２、撮影絞り１０、フォーカスレンズ１１、撮影レンズ１２を通り、蛍光濾過フィルタ１３により蛍光以外の光は除かれ、色分解プリズム１４に入射して赤、緑、青それぞれの色に分解され、撮像素子１５ｒ、１５ｇ、１５ｂに結像し電気信号に変換される。信号増幅手段１６はこれらの信号を予め設定した増幅率で増幅し、画像制御手段１７はこの電気信号をデジタル画像データに変換し、メモリ１７ａに一旦記録し、画像記録手段２１により記録媒体Ｄに記録する。それと共に、テレビモニタ２０に眼底像Ｅｒ’を表示する。このテレビモニタ２０に映った眼底像Ｅｒ’を見て、蛍光像が明る過ぎたり暗過ぎたりする場合には、スイッチ２５を操作して明るさを調整する。
【００２９】
以上の説明では、スイッチ２４又はスイッチ２５の操作に従って、先ず光量を増加して光量が最大になった後に、撮像素子１５ｒ、１５ｇ、１５ｂの感度を増加させたが、このような方式では低い増幅率を使う割合が多いので、画質は良好であるが被検者に照射する光エネルギが増大する。このために、被検者の負担が増加し、また観察用光源１の発熱が多くなって消費電力も増加する。従って、次の表３、表４に示すように、観察用光源１の発する光量と撮像素子１５ｒ、１５ｇ、１５ｂの増幅率を共に増加することによって、画質と被検者の負担又は光源発熱の問題をバランスさせることができる。なお、被検者の負担又は光源発熱を第１に考える場合は、撮像素子１５ｒ、１５ｇ、１５ｂの増幅率を大きくし、それから観察用光源１の光量を増加した方がよい。
【００３０】
表３
目盛              印加電圧            増幅率
１                  ０Ｖ              ０ｄＢ
２                  ２Ｖ              ０ｄＢ
３              ２．８Ｖ              ３ｄＢ
４                  ４Ｖ              ６ｄＢ
５              ５．７Ｖ              ９ｄＢ
６                  ８Ｖ            １２ｄＢ
７            １１．３Ｖ            １５ｄＢ
８                １６Ｖ            １８ｄＢ
９                １６Ｖ            ２４ｄＢ
【００３１】
表４
表示部２５ｃの値  印加電圧            増幅率
Ｆ１              ５３Ｖ              ０ｄＢ
Ｆ２              ６３Ｖ              ３ｄＢ
Ｆ３              ７５Ｖ              ６ｄＢ
Ｆ４              ８９Ｖ              ９ｄＢ
Ｆ５            １０６Ｖ            １２ｄＢ
Ｆ６            １２６Ｖ            １５ｄＢ
Ｆ７            １５０Ｖ            １８ｄＢ
Ｆ８            １７８Ｖ            ２１ｄＢ
Ｆ９            ２１２Ｖ            ２４ｄＢ
Ｆ１０          ２００Ｖ            ２４ｄＢ
【００３２】
【発明の効果】
以上説明したように本発明に係る眼科撮影装置は、被検眼を照明する照明手段の光量と撮像する撮像手段の感度を共通の操作部材で制御することにより、簡単な操作で明るい被写体から暗い被写体まで一定の明るさで観察することができる。
【図面の簡単な説明】
【図１】実施例の眼底カメラの構成図である。
【符号の説明】
１  観察用光源
４  可視カットフィルタ
５  撮影用光源
７ａ  励起フィルタ
７ｂ  赤外カットフィルタ
１０  撮影絞り
１３  濾過フィルタ
１４  色分解プリズム
１５ｒ、１５ｇ、１５ｂ  撮像素子
１７  画像制御手段
１８  制御手段
１９、２０  テレビモニタ
２１  画像記録手段
２２  撮影スイッチ
２３  フィルタ選択スイッチ
２４、２５  光量及び増幅率調整スイッチ
【図１】
0004174129.tif 000002